(57)【要約】【課題】  ユーザーが簡便にかつ適切に表示状態をチェックできる表示装置および表示方法を提供すること。【解決手段】  チェック表示制御部２２のＣＰＵ２２１は記憶部２２２に圧縮されて記憶されたチェックパターン画像データを伸張してブリッジ回路２２３に出力する。回路２２３は所定のフォーマットを有するチェックパターン画像データを表示制御部２１に出力する。また、ＣＰＵ２２１はユーザーが表示状態を評価すべき領域および内容を示すガイド画像データを回路２２３を介して表示制御部２１に出力する。制御部２１のマイクロコンピュータ２１２は外部入力インターフェース２１１からの入力を禁止し、フレームメモリ２１３がチェックパターン画像データおよびガイド画像データを一時的に記憶し、画像制御回路２１４に供給する。これにより、表示部１はチェックパターン画像およびガイド画像を表示する。【選択図】  図１
2009058602.tif 000002
【特許請求の範囲】
【請求項１】
予め作成された所定の画像データを記憶する記憶部と、この記憶部に記憶された所定の画像データまたは外部装置から入力される外部入力画像データを一時的に記憶するフレームメモリと、このフレームメモリに対する前記所定の画像データまたは前記外部入力画像データの書き込みおよび読み出しを所定の時間間隔により更新制御するとともに、同フレームメモリに一時的に記憶された前記所定の画像データまたは前記外部入力画像データに基づいて表示部に画像を表示する画像制御処理部とを備えた表示装置において、
前記画像制御処理部が、
前記外部装置から前記外部入力画像データの入力を禁止する外部入力禁止手段と、
前記外部入力禁止手段が前記外部装置から前記外部入力画像データの入力を禁止した状態で、前記記憶部に記憶された所定の画像データを前記フレームメモリに一回だけ書き込む画像データ書き込み手段と、
前記画像データ書き込み手段が前記所定の画像データを書き込んだ後、前記フレームメモリに対する書き込みの更新制御を停止する更新制御停止手段とを有することを特徴とする表示装置。
【請求項２】
請求項１に記載した表示装置において、
前記記憶部に記憶される所定の画像データは、前記表示部における表示状態を評価するための評価用画像データであることを特徴とする表示装置。
【請求項３】
予め作成された所定の画像データを記憶する記憶部と、この記憶部に記憶された所定の画像データまたは外部装置から入力される外部入力画像データを一時的に記憶するフレームメモリと、このフレームメモリに対する前記所定の画像データまたは前記外部入力画像データの書き込みおよび読み出しを所定の時間間隔により更新制御するとともに、同フレームメモリに一時的に記憶された前記所定の画像データまたは前記外部入力画像データに基づいて表示部に画像を表示する画像制御処理部とを備えた表示装置において、
前記記憶部に記憶される所定の画像データは、前記表示部における表示状態を評価するための評価用画像データであり、
前記画像制御処理部が、
前記外部装置から前記外部入力画像データの入力を禁止する外部入力禁止手段と、
前記外部入力禁止手段が前記外部装置から前記外部入力画像データの入力を禁止した状態で、前記記憶部に記憶された評価用画像データを前記フレームメモリに一回だけ書き込む評価用画像データ書き込み手段と、
前記評価用画像データ書き込み手段が前記評価用画像データを書き込んだ後、前記フレームメモリに対する書き込みの更新制御を停止する更新制御停止手段と、
前記評価用画像データ書き込み手段が前記フレームメモリに書き込んだ評価用画像データに基づいて前記表示部に表示した評価用画像に対して、表示状態を評価する領域および表示状態を評価する評価内容を表す案内画像を前記表示部に表示する表示位置を決定する表示位置決定手段と、
前記表示位置決定手段が決定した表示位置にて、前記案内画像を前記評価用画像に重ねて表示する案内画像表示制御手段とを有することを特徴とする表示装置。
【請求項４】
請求項１または請求項３に記載した表示装置において、
前記記憶部に記憶される所定の画像データは圧縮されて記憶されるものであり、
前記画像制御処理部が、
前記記憶部に圧縮されて記憶された所定の画像データを伸張する伸張処理手段を有することを特徴とする表示装置。
【請求項５】
請求項１または請求項３に記載した表示装置において、さらに、
前記画像制御処理部が、
前記記憶部に記憶された画像データのうち、予め設定された画像フォーマット形式で作成された所定の画像データを前記フレームメモリに出力する画像データ出力手段を有することを特徴とする表示装置。
【請求項６】
請求項５に記載した表示装置において、
前記画像データ出力手段は、
前記記憶部に記憶された画像データのうち、前記予め設定された画像フォーマット形式で作成された所定の画像データを選択して前記フレームメモリに出力することを特徴とする表示装置。
【請求項７】
請求項５に記載した表示装置において、
前記画像データ出力手段は、
前記記憶部に記憶された画像データを前記予め設定された画像フォーマット形式に変更し、同変更した所定の画像データを前記フレームメモリに出力することを特徴とする表示装置。
【請求項８】
請求項５に記載した表示装置において、
前記予め設定された画像フォーマット形式がビット・マップ形式であることを特徴とする表示装置。
【請求項９】
予め作成された所定の画像データを記憶する記憶部と、この記憶部に記憶された所定の画像データまたは外部装置から入力される外部入力画像データを一時的に記憶するフレームメモリと、このフレームメモリに対する前記所定の画像データまたは前記外部入力画像データの書き込みおよび読み出しを所定の時間間隔により更新制御するとともに、同フレームメモリに一時的に記憶された前記所定の画像データまたは前記外部入力画像データに基づいて表示部に画像を表示する画像制御処理部とを備えた表示装置における表示状態を評価するための表示方法であって、
前記記憶部に記憶される所定の画像データは、前記表示部における表示状態を評価するための評価用画像データであり、
前記画像制御処理部は、
前記外部装置から前記外部入力画像データの入力を禁止し、
前記外部装置から前記外部入力画像データの入力を禁止した状態で、前記記憶部に記憶された評価用画像データを前記フレームメモリに一回だけ書き込み、
前記評価用画像データを書き込んだ後、前記フレームメモリに対する書き込みの更新制御を停止し、
前記フレームメモリに書き込んだ評価用画像データに基づいて、前記表示部に評価用画像を表示させ、
前記表示部に表示した評価用画像に対して、表示状態を評価する領域および表示状態を評価する評価内容を表す案内画像を表示する表示位置を決定し、
前記決定した表示位置にて前記案内画像を前記評価用画像に重ねて表示するようにしたことを特徴とする表示装置の表示方法。
【請求項１０】
請求項９に記載した表示装置の表示方法において、
前記記憶部に記憶される評価用画像データは圧縮されて記憶されるものであり、
前記画像制御処理部は、
前記記憶部に圧縮されて記憶された評価用画像データを伸張し、同伸張した評価用画像データを前記フレームメモリに一回だけ書き込むようにしたことを特徴とする表示装置の表示方法。
【請求項１１】
請求項９に記載した表示装置の表示方法において、
前記画像制御処理部は、
前記記憶部に記憶された評価用画像データのうち、予め設定された画像フォーマット形式で作成された評価用画像データを前記フレームメモリに書き込むようにしたことを特徴とする表示装置の表示方法。
【請求項１２】
請求項１１に記載した表示装置の表示方法において、
前記画像制御処理部は、
前記記憶部に記憶された評価用画像データのうち、前記予め設定された画像フォーマット形式で作成された評価用画像データを選択して前記フレームメモリにに書き込むようにしたことを特徴とする表示装置の表示方法。
【請求項１３】
請求項１１に記載した表示装置の表示方法において、
前記画像制御処理部は、
前記記憶部に記憶された評価用画像データを前記予め設定された画像フォーマット形式に変更し、同変更した評価用画像データを前記フレームメモリに出力することを特徴とする表示装置の表示方法。
【請求項１４】
請求項９に記載した表示装置の表示方法において、
前記予め設定された画像フォーマット形式がビット・マップ形式であることを特徴とする表示装置の表示方法。
【発明の詳細な説明】
【技術分野】
【０００１】
本発明は、予め作成された所定の画像データを記憶する記憶部と、この記憶部に記憶された所定の画像データまたは外部装置から入力される外部入力画像データを一時的に記憶するフレームメモリと、このフレームメモリに対する前記所定の画像データまたは前記外部入力画像データの書き込みおよび読み出しを所定の時間間隔により更新制御するとともに、同フレームメモリに一時的に記憶された前記所定の画像データまたは前記外部入力画像データに基づいて表示部に画像を表示する画像制御処理部とを備えた表示装置および同表示装置を用いた表示方法に関する。
【背景技術】
【０００２】
従来から、例えば、下記特許文献１に示されたディスプレイ端末装置は知られている。このディスプレイ端末装置は、メニューや操作ガイダンスのような文字を中心とした表示画面を分かりやすいプレゼンテーション効果の大きいグラフィカルなイメージで高速に表示するために、予め作成されて圧縮された定型イメージデータを記憶部に格納しておくようになっている。そして、この格納したイメージデータを読み出して伸張部で伸張処理してバッファーメモリに展開し、さらに表示用メモリに転送してディスプレイに表示するようになっている。
【０００３】
これにより、ハードウェアーおよびソフトウェアの構成が簡単でありながら、例えば、絵画的に自由に作成されたプレゼンテーション効果の大きいメニューや操作ガイダンスの画面を高速に表示することができるようになっている。
【特許文献１】特開平５−３５２５６号公報
【発明の開示】
【０００４】
ところで、上記従来のディスプレイ端末装置を含めて、外部から画像データを入力して表示する表示装置においては、入力した画像データに基づく各種画像を忠実に再現して表示することが要求される。特に、コンピュータに接続可能な表示装置として、最近、盛んに開発が行われている液晶表示装置においては、高い解像度および階調度を有しており、入力した画像データに基づく各種画像を極めて精細にかつ優れた階調再現性によって表示することができる。
【０００５】
ここで、表示装置の優れた階調再現性、言い換えれば、良好な表示状態を維持するためには、表示される画像の表示状態を適切な間隔でチェックすることが望ましい。このような表示状態のチェックに関しては、例えば、表示装置に接続されたコンピュータにチェックに適した画像データすなわちチェックパターン画像データを予め記憶しておき、ユーザーがこのコンピュータから出力されたチェックパターン画像データに基づくチェックパターン画像の表示状態をチェックすることが考えられる。
【０００６】
ところが、このようにチェックパターン画像を表示装置に表示させてユーザーが表示状態をチェックするためには、予め表示装置に対してコンピュータが接続されていなければならない。また、接続されたコンピュータが起動している状態でなければ、表示状態をチェックすることができない。このため、ユーザーが表示状態をチェックする状況においては、チェックを開始するまでの準備項目が増えて、チェック作業が煩雑となる可能性がある。
【０００７】
また、最近では、表示装置にコンピュータ以外の外部装置（例えば、テレビチューナーやＤＶＤプレーヤなど）が接続される機会も多い。このため、コンピュータが表示装置に接続されることを前提とする場合には、ユーザーによる表示状態のチェックが容易に行えない可能性もある。
【０００８】
これに対して、例えば、表示装置に予めチェックパターン画像データを記憶させておき、チェック時に記憶させた画像データに基づくチェックパターン画像を表示させるようにすれば、ユーザーが容易に表示状態をチェックすることができる。しかし、チェックパターン画像データは、階調再現性が適切であるか否かをチェックできるように、一般的に高精細かつ高階調な画像を表示するために、大きなデータ量を有する場合が多い。
【０００９】
このため、表示装置には、この大きなデータ量を記憶しておくための記憶容量の大きなメモリを設けておく必要がある。また、コンピュータを介さずに、高精細かつ高階調なチェックパターン画像を表示するためには、表示装置が高性能のグラフィックコントローラを内蔵しておくことも必要となる。したがって、表示装置自体の製造コストが増大する問題がある。
【００１０】
さらに、このような表示装置の表示状態、より具体的には、階調再現性をチェックする場合には、一般的に、専門的な知識を必要とする場合がある。すなわち、一般のユーザーにおいては、階調再現性の良否を評価するために、表示されたチェックパターン画像のどの領域をどのようにチェックすればよいのか分からない場合がある。このため、ユーザーにおいては、適切に階調再現性をチェックすることが難しい場合がある。したがって、ユーザーが表示状態（階調再現性）をチェックする際には、チェックすべき領域やチェックすべき内容が報知されることが望ましい。
【００１１】
本発明は、上記した課題を解決するためになされたものであり、その目的は、ユーザーが簡便にかつ適切に表示状態をチェックすることができる表示装置および同装置の表示方法を提供することにある。
【００１２】
本発明の特徴は、予め作成された所定の画像データを記憶する記憶部と、この記憶部に記憶された所定の画像データまたは外部装置から入力される外部入力画像データを一時的に記憶するフレームメモリと、このフレームメモリに対する前記所定の画像データまたは前記外部入力画像データの書き込みおよび読み出しを所定の時間間隔により更新制御するとともに、同フレームメモリに一時的に記憶された前記所定の画像データまたは前記外部入力画像データに基づいて表示部に画像を表示する画像制御処理部とを備えた表示装置において、前記画像制御処理部が、前記外部装置から前記外部入力画像データの入力を禁止する外部入力禁止手段と、前記外部入力禁止手段が前記外部装置から前記外部入力画像データの入力を禁止した状態で、前記記憶部に記憶された所定の画像データを前記フレームメモリに一回だけ書き込む画像データ書き込み手段と、前記画像データ書き込み手段が前記所定の画像データを書き込んだ後、前記フレームメモリに対する書き込みの更新制御を停止する更新制御停止手段とを有することにある。この場合、前記記憶部に記憶される所定の画像データは、例えば、前記表示部における表示状態を評価するための評価用画像データであるとよい。
【００１３】
また、本発明の他の特徴は、予め作成された所定の画像データを記憶する記憶部と、この記憶部に記憶された所定の画像データまたは外部装置から入力される外部入力画像データを一時的に記憶するフレームメモリと、このフレームメモリに対する前記所定の画像データまたは前記外部入力画像データの書き込みおよび読み出しを所定の時間間隔により更新制御するとともに、同フレームメモリに一時的に記憶された前記所定の画像データまたは前記外部入力画像データに基づいて表示部に画像を表示する画像制御処理部とを備えた表示装置において、前記記憶部に記憶される所定の画像データは、前記表示部における表示状態を評価するための評価用画像データであり、前記画像制御処理部が、前記外部装置から前記外部入力画像データの入力を禁止する外部入力禁止手段と、前記外部入力禁止手段が前記外部装置から前記外部入力画像データの入力を禁止した状態で、前記記憶部に記憶された評価用画像データを前記フレームメモリに一回だけ書き込む評価用画像データ書き込み手段と、前記評価用画像データ書き込み手段が前記評価用画像データを書き込んだ後、前記フレームメモリに対する書き込みの更新制御を停止する更新制御停止手段と、前記評価用画像データ書き込み手段が前記フレームメモリに書き込んだ評価用画像データに基づいて前記表示部に表示した評価用画像に対して、表示状態を評価する領域および表示状態を評価する評価内容を表す案内画像を前記表示部に表示する表示位置を決定する表示位置決定手段と、前記表示位置決定手段が決定した表示位置にて、前記案内画像を前記評価用画像に重ねて表示する案内画像表示制御手段とを有することにもある。
【００１４】
さらに本発明の他の特徴は、予め作成された所定の画像データを記憶する記憶部と、この記憶部に記憶された所定の画像データまたは外部装置から入力される外部入力画像データを一時的に記憶するフレームメモリと、このフレームメモリに対する前記所定の画像データまたは前記外部入力画像データの書き込みおよび読み出しを所定の時間間隔により更新制御するとともに、同フレームメモリに一時的に記憶された前記所定の画像データまたは前記外部入力画像データに基づいて表示部に画像を表示する画像制御処理部とを備えた表示装置における表示状態を評価するための表示方法であって、前記記憶部に記憶される所定の画像データは、前記表示部における表示状態を評価するための評価用画像データであり、前記画像制御処理部は、前記外部装置から前記外部入力画像データの入力を禁止し、前記外部装置から前記外部入力画像データの入力を禁止した状態で、前記記憶部に記憶された評価用画像データを前記フレームメモリに一回だけ書き込み、前記評価用画像データを書き込んだ後、前記フレームメモリに対する書き込みの更新制御を停止し、前記フレームメモリに書き込んだ評価用画像データに基づいて、前記表示部に評価用画像を表示させ、前記表示部に表示した評価用画像に対して、表示状態を評価する領域および表示状態を評価する評価内容を表す案内画像を表示する表示位置を決定し、前記決定した表示位置にて前記案内画像を前記評価用画像に重ねて表示するようにしたことにもある。
【００１５】
そして、これらの場合には、前記記憶部に記憶される所定の画像データ（評価用画像データ）は圧縮されて記憶されるものであり、前記画像制御処理部が、前記記憶部に圧縮されて記憶された所定の画像データ（評価用画像データ）を伸張する伸張処理手段を有するとよい。
【００１６】
また、前記画像制御処理部が、前記記憶部に記憶された画像データ（評価用画像データ）のうち、予め設定された画像フォーマット形式で作成された所定の画像データ（評価用画像データ）を前記フレームメモリに出力する画像データ出力手段を有するとよい。この場合、前記画像データ出力手段は、例えば、前記記憶部に記憶された画像データ（評価用画像データ）のうち、前記予め設定された画像フォーマット形式で作成された所定の画像データ（評価用画像データ）を選択して前記フレームメモリに出力するとよい。また、前記画像データ出力手段は、例えば、前記記憶部に記憶された画像データ（評価用画像データ）を前記予め設定された画像フォーマット形式に変更し、同変更した所定の画像データ（評価用画像データ）を前記フレームメモリに出力するとよい。また、前記予め設定された画像フォーマット形式が、例えば、ビット・マップ形式であるとよい。
【００１７】
これらによれば、表示装置の記憶部に予め記憶されている所定の画像データ（評価用画像データ）を表示させる際には、画像制御処理部が外部装置から外部入力画像データの入力を禁止することができる。そして、画像制御処理部は、フレームメモリに書き込まれた所定の画像データ（評価用画像データ）によって表される画像（評価用画像）を表示部に表示させることができる。
【００１８】
このため、ユーザーが表示部の表示状態（階調再現性）をチェックする場合においては、外部装置（例えば、コンピュータ）を接続していない状態であっても、言い換えれば、外部装置からの入力に依存することなく、表示装置を起動することによって行うことが可能となる。また、外部装置が接続されている状態であっても、ユーザーは外部装置からの入力を禁止させるための操作を行う必要がない。したがって、ユーザーは、表示装置の表示状態をチェックするための準備項目を減らすことができて、簡単に表示状態をチェック（評価）することができる。
【００１９】
また、記憶部に記憶される所定の画像データ（評価用画像データ）は、通常時に、例えば、ＺＩＰ形式など周知の方式により圧縮されて記憶されており、必要時に伸張処理により伸張されて表示部に表示される。これにより、記憶部における所定の画像データ（評価用画像データ）を記憶しておくための記憶容量を小さくすることができ、表示装置の製造コストを低減することができる。
【００２０】
また、記憶部に記憶されている所定の画像データ（評価用画像データ）を表示部に表示する際には、予め設定されたフォーマット形式を有する画像データ（評価用画像データ）を選択して、あるいは、画像データ（評価用画像データ）を予め設定されたフォーマット形式に変更して表示部に表示することができる。ここで、予め設定されたフォーマット形式とは、例えば、画像フォーマット（ビット・マップ形式かベクタ形式か）や、表示部に画像を表示する際のフォーマット（例えば、表示部の解像度など）を含むものである。
【００２１】
これにより、記憶部に種々のフォーマット形式で画像データ（評価用画像データ）が予め記憶されている場合であっても、例えば、表示部の解像度に合せたビット・マップ形式の画像データ（評価用画像データ）を選択したり、表示部の解像度に合わせて画像データ（評価用画像データ）の解像度を変更したりできる。したがって、表示装置の製造コストを低減することができるとともに、ユーザーは適切に表示された画像に基づいて表示状態をチェック（評価）することができる。
【００２２】
また、外部装置から外部入力を禁止してフレームメモリに所定の画像データ（評価用画像データ）を一回だけ書き込んだ状態においては、フレームメモリの更新処理を停止させることができる。すなわち、通常、外部装置から外部入力画像データが入力される状況では、画像処理制御部が所定の時間間隔（所謂、リフレッシュレート）に合わせてフレームメモリに対する画像データの書き込みおよび読み出しを更新処理する。
【００２３】
これに対して、所定の画像データ（評価用画像データ）が一回だけフレームメモリに書き込まれている場合には、同一の画像を表示部に表示させるため、書き込まれた画像データを更新処理する必要がない。このため、この場合には、フレームメモリの更新処理を停止することができる。また、表示装置が、例えば、高解像度をサポートする高性能なグラフィックコントローラを備えていなくても、表示部の表示形態に応じて、適切な画像（評価用画像）を表示することができる。したがって、画像処理制御部の処理能力を低くすることが可能となって表示装置の製造コストを低減できるとともに、装置の構成を簡略化することもできる。
【００２４】
さらに、特に、評価用画像が表示部に表示されている状況において、この評価用画像に重ねて、ユーザーが表示状態をチェック（評価）すべき領域およびチェック（評価）すべき内容を表す案内画像をさらに表示することができる。これにより、ユーザーは、専門的な知識を有していなくても、表示部の表示状態（例えば、階調再現性など）を適切に、かつ、容易に評価することができる。これにより、ユーザーは、表示部の表示状態を常に良好に維持することができ、常に高精細および高階調の画像を得ることができる。
【発明を実施するための最良の形態】
【００２５】
以下、本発明の実施形態を図面を用いて詳細に説明する。図１は、本発明の表示装置Ｓの構成を示す概略的な機能ブロック図である。この表示装置は、表示部１と、この表示部１に対して各種画像の表示を制御する制御部２とを備えている。表示部１は、例えば、ＬＣＤ(Liquid Cristal Display)やＣＲＴ(Cathode Ray Tube)、ＰＤＰ(Plasma Display Panel)およびこれらを作動させるための駆動回路などから構成されるものである。なお、ＬＣＤやＣＲＴ、ＰＤＰの構造および作動に関しては、本発明と直接関係しないため、その説明を省略する。
【００２６】
制御部２は、表示制御部２１とチェック表示制御部２２とを備えている。表示制御部２１は、表示装置Ｓに接続される外部装置（例えば、パーソナルコンピュータやテレビ用チューナ、ＤＶＤプレーヤ、ゲーム機など）から出力される画像データおよびチェック制御部２２から出力される各種画像データを入力し、同入力した画像データに基づいて表示部１に画像を表示させるものである。チェック表示制御部２２は、ユーザーが表示状態（例えば、階調再現性など）をチェックするためのチェックパターン画像データを表示制御部２１に出力するとともに、表示されたチェックパターン画像上でユーザーがチェックすべきチェック領域およびこのチェック領域内でチェックすべき内容を案内するためのガイド画像データを表示制御部２１に出力するものである。
【００２７】
表示制御部２１は、外部入力インターフェース２１１と、マイクロコンピュータ２１２と、フレームメモリ２１３と、画像制御回路２１４とを含んで構成されている。外部入力インターフェース２１１は、上述した外部装置と接続されて、同外部装置から出力される各種画像データを入力する。マイクロコンピュータ２１２は、入力した各種画像データを表示部１に出力するための作動を統括的に制御するものである。フレームメモリ２１３は、例えば、ＳＤ−ＲＡＭなどから構成されるものであり、外部入力インターフェース２１１を介して外部装置から入力された画像データや、後に詳述するチェック表示制御部２２から出力されたチェックパターン画像データおよびガイド画像データを一時的に記憶し、同記憶した各種画像データを画像制御回路２１４に出力する。
【００２８】
画像制御回路２１４は、フレームメモリ２１３から出力される各種画像データに含まれる階調値に基づく輝度や階調再現性などを適宜補正して出力する、ロジックＩＣとしての所謂ＡＳＩＣ(Application Specific Integrated Circuit)である。このため、画像制御回路２１４には、出力された各種画像データを補正するためのＬＵＴ(Look Up Table)回路が設けられている。そして、画像制御回路２１４は、補正した画像データに基づき、表示部１に対応する画像を表示させる。
【００２９】
チェック表示制御部２２は、同制御部２２の作動を統括的に制御するＣＰＵ２２１を備えている。ＣＰＵ２２１は、図示省略のＲＯＭ内に予め記憶された所定のプログラムを実行することにより、ユーザーが表示部１の表示状態をチェックするための作動を制御する。そして、このＣＰＵ２２１には、チェックパターン画像を予め記憶しておく記憶部２２２と表示制御部２１とチェック表示制御部２２とを連結するブリッジ回路２２３とが接続されている。
【００３０】
記憶部２２２は、例えば、不揮発性の半導体メモリ（例えば、フラッシュメモリなど）やハードディスク、ＣＤ−ＲＯＭあるいはＤＶＤ−ＲＯＭなどの記憶媒体および駆動装置などから構成される記憶装置を含むものである。そして、記憶部２２２は、表示部１の解像度に合わせて予め作成されたチェックパターン画像データを圧縮処理された状態で記憶している。
【００３１】
なお、記憶部２２２に予め記憶されているチェックパターン画像データに関しては、汎用性を確保するために、種々のフォーマット形式（例えば、ベクタ形式やビットマップ形式など）に従って作成することが可能であり、これら各フォーマット形式で作成した画像データをまとめて圧縮処理して記憶しておくことが可能である。この場合、本実施形態においては、記憶部２２２に圧縮されて記憶されるチェックパターン画像データには、少なくとも、フォーマット形式としてビット・マップ形式で作成されたチェックパターン画像データが含まれるものとする。
【００３２】
ブリッジ回路２２３は、表示制御部２１とチェック表示制御部２２とをデータ通信可能に接続するものである。ここで、ブリッジ回路２２３は、ロジックＩＣとしてのＡＳＩＣ(Application Specific Integrated Circuit)であり、記憶部２２２に記憶されたチェックパターン画像データがＣＰＵ２２１によって伸張処理された後、所定のフォーマット形式（この実施形態においてはビット・マップ形式）を有するチェックパターン画像データを選択的に表示制御部２１に出力するようになっている。
【００３３】
また、表示装置Ｓは、ユーザーによって操作される操作部２３を備えている。操作部２３は、例えば、表示部１における表示パネルの周囲部分に配置されて、後述する表示状態のチェックにおいてユーザーによって操作されるものである。
【００３４】
次に、上記のように構成した表示装置Ｓの動作について、ユーザーが表示状態のチェックを行うための動作（以下、チェック動作という）から説明する。
【００３５】
ユーザーによって表示装置Ｓが起動されると、あるいは、ユーザーによって操作部２３が特定操作されると、チェック表示制御部２２のＣＰＵ２２１は、ＲＯＭ内に予め記憶された所定のプログラムの実行を開始する。ここで、ＣＰＵ２２１は、以下に説明するチェック動作を行っている間、所定の通信路を介して、表示制御部２１のマイクロコンピュータ２１２に対し、外部入力インターフェース２１１による外部入力画像データの入力を禁止するように指示する。この指示に応じて、マイクロコンピュータ２１２は、外部入力インターフェース２１１からの入力を禁止する。これにより、表示装置Ｓは、外部装置からの入力に依存することなく、チェック動作を行う状態になる。
【００３６】
ＣＰＵ２２１は、プログラムの実行を開始すると、記憶部２２２の所定記憶位置に、例えば、ＺＩＰ形式により圧縮されて予め記憶されているチェックパターン画像データを取得する。そして、ＣＰＵ２２１は、取得したデータを周知の伸張方式に従って伸張する。これにより、少なくとも、ビット・マップ形式のチェックパターン画像データが生成され、ＣＰＵ２２１は、生成したチェックパターン画像データを一時的に図示しないＲＡＭの所定記憶位置に記憶する。
【００３７】
次に、ＣＰＵ２２１は、伸張処理によって生成するとともにＲＡＭに一時的に記憶したチェックパターン画像データをブリッジ回路２２３に供給する。ブリッジ回路２２３においては、供給されたチェックパターン画像データのうち、所定のフォーマット形式すなわちビット・マップ形式を有するチェックパターン画像データを選択的に表示制御部２１に出力する。
【００３８】
すなわち、記憶部２２２には、上述したように、種々のフォーマット形式に従って作成されたチェックパターン画像データが圧縮されて予め記憶される場合がある。この場合、ユーザーが表示部１の表示状態（より具体的には、階調再現性）をチェックするにあたっては、ドットパードット表示が可能なビット・マップ形式で作成されたチェックパターン画像を用いるとよい。このため、ブリッジ回路２２３は、ＣＰＵ２２１から供給されるチェックパターン画像データのうち、ビット・マップ形式により作成されたチェックパターン画像データを表示制御部２１に対して出力する。ここで、ブリッジ回路２２３は、上述したように、ＡＳＩＣであるため、特定のフォーマットを有するチェックパターン画像データを選択して出力するように、予め構成されている。
【００３９】
なお、ビット・マップ形式のチェックパターン画像データを出力するにあたり、ブリッジ回路２２３は、例えば、ＣＰＵ２２１から供給されたチェックパターン画像データがＲＧＢ情報を有している場合には、ＲＧＢ情報のうちのいずれか一つの情報を有する画像データを出力するようにするとよい。これにより、表示制御部２１（より詳しくは、フレームメモリ２１３）に出力するデータ量を低減することができる。
【００４０】
また、ＣＰＵ２２１は、記憶部２２２に圧縮されて記憶されたチェックパターン画像データ一個に対して一回のみ伸張処理してブリッジ回路２２３に供給する。これにより、ブリッジ回路２２３は、伸張処理されたチェックパターン画像データを一回だけ表示制御部２１に対して出力する。これは、ユーザーが表示状態をチェックするために表示部１に表示されるチェックパターン画像データは、ユーザーが表示状態をチェックしている間同一であるためである。
【００４１】
すなわち、通常、表示制御部２１は、例えば、外部装置から画像データが供給されると、表示すべき画像が同一であるか否かに関わらず、所定の間隔（所謂、リフレッシュレート）で表示画像を更新する。これに対して、ユーザーが表示状態をチェックしている間は、ブリッジ回路２２３から１回のみチェックパターン画像データが出力されるため、リフレッシュレートに合わせた出力処理を行わない。したがって、ブリッジ回路２２３の処理能力を小さくすることができ、その結果、コストダウンを実現することができる。
【００４２】
このように、チェック表示制御部２２のブリッジ回路２２３から出力されたチェックパターン画像データは、表示制御部２１の画像制御回路２１４を介してフレームメモリ２１３に供給されて一時的に記憶される。すなわち、チェック表示制御部２２のＣＰＵ２２１は、所定の通信路を介して、表示制御部２１のマイクロコンピュータ２１２に対して、ブリッジ回路２２３から出力されるチェックパターン画像データをフレームメモリ２１３に記憶するように指示する。
【００４３】
マイクロコンピュータ２１２においては、ＣＰＵ２２１の指示に従い、ブリッジ回路２２３から画像制御回路２１４にチェックパターン画像データが出力されると、画像制御回路２１４に対して、出力されたチェックパターン画像データをフレームメモリ２１３に供給するように指示する。これにより、画像制御回路２１４は、ブリッジ回路２２３から出力されたチェックパターン画像データをフレームメモリ２１３に供給する。フレームメモリ２１３においては、供給されたチェックパターン画像データを所定の記憶位置に記憶する（書き込まれる）。
【００４４】
ここで、上述したように、チェックパターン画像データは、画像制御回路２１４に対して、チェック表示制御部２２のブリッジ回路２２３から一回のみ出力される。したがって、フレームメモリ２１３には、チェックパターン画像データが一回のみ記憶される。言い換えれば、フレームメモリ２１３は、例えば、リフレッシュレートに応じて、同一のチェックパターン画像データを更新して記憶し直す必要がなく、その結果、マイクロコンピュータ２１２および画像制御回路２１４の処理能力を小さくすることができる。
【００４５】
画像制御回路２１４は、マイクロコンピュータ２１２の指示に従い、フレームメモリ２１３の所定の記憶位置に記憶されたチェックパターン画像データを読み出す。そして、画像制御回路２１４は、読み出したチェックパターン画像データに対して、ＬＵＴ回路を用いることによって、例えば、輝度値の補正を行った後、表示部１にチェックパターン画像データを出力して表示させる。これにより、表示部１は、チェックパターン画像を表示可能領域の全体にわたり表示する。
【００４６】
一方で、チェック表示制御部２２のＣＰＵ２２１は、ＲＯＭに予め記憶された所定のプログラムを実行することにより、ユーザーが表示部１に表示されたチェックパターン画像に基づいて適切に階調再現性を評価できるように、ガイド画像データを生成する。以下、このことを具体的に説明する。
【００４７】
表示部１に表示される各種画像に関し、その階調再現性を評価するためには、専門的な知識を必要とする場合がある。特に、より高い階調再現性を必要とする画像を表示させるためには、より専門的な知識に基づいて評価する必要がある。しかし、一般的なユーザーにおいては、この専門的な知識を有しているとは限らない。このため、ＣＰＵ２２１は、予め作成されて表示されるチェックパターン画像に対して、専門的な知識を有していないユーザーであっても、適切に階調再現性が評価できるように、チェックすべき領域およびその領域内における評価内容を報知するガイド画像データを生成する。そして、ＣＰＵ２２１は、この生成したガイド画像データに基づくガイド画像を、所謂、オーバーレイ機能（ＰｉｎＰ(Picture in Picture)）機能により、チェックパターン画像上に重ねて表示させる。
【００４８】
具体的には、ＣＰＵ２２１は、まず、ユーザーがチェックパターン画像中でチェックすべき領域を示すための枠画像を表示する表示位置を決定する。すなわち、ＣＰＵ２２１は、表示部１に表示されたチェックパターン画像の全領域うち、より適切に階調再現性を評価できる領域を含むように、枠画像の表示位置を決定する。ここで、階調再現性を評価する領域としては、全表示領域に対して予め複数個所に設定されている。そして、後述するように、ユーザーが枠画像によって指し示された領域内の階調再現性を評価するごとに、ＣＰＵ２２１は順次枠画像の表示位置を変更する。
【００４９】
次に、ＣＰＵ２２１は、決定した枠画像の表示位置に対応して同枠画像によって仕切られる領域内で評価すべき内容を決定する。そして、ＣＰＵ２２１は、同決定した評価内容を表すテキストデータを枠画像に隣接させて表示させるようにしてガイド画像データを生成する。
【００５０】
このように、ガイド画像データを生成すると、ＣＰＵ２２１は、同画像データをブリッジ回路２２３に供給する。ブリッジ回路２２３においては、供給されたガイド画像データを表示制御部２１に出力する。ここで、ブリッジ回路２２３は、ＣＰＵ２２１からガイド画像データが供給された場合には、表示制御部２１に対して供給された画像データを出力するように、予めプログラミングされている。
【００５１】
なお、本実施形態においては、ガイド画像を枠画像を有するように実施するが、この枠画像を省略して実施することも可能である。この場合、評価領域をユーザに知らせるために、例えば、矢印などをテキストデータに付加するようにするとよい。
【００５２】
ブリッジ回路２２３から出力されたガイド画像データは、表示制御部２１の画像制御回路２１４を介してフレームメモリ２１３に供給されて一時的に記憶される。すなわち、チェック表示制御部２２のＣＰＵ２２１は、所定の通信路を介して、表示制御部２１のマイクロコンピュータ２１２に対して、ブリッジ回路２２３から出力されるガイド画像データをフレームメモリ２１３に記憶するように指示する。
【００５３】
マイクロコンピュータ２１２においては、ＣＰＵ２２１の指示に従い、ブリッジ回路２２３から画像制御回路２１４にガイド画像データが出力されると、画像制御回路２１４に対して、出力されたガイド画像データをフレームメモリ２１３に供給するように指示する。これにより、画像制御回路２１４は、ブリッジ回路２２３から出力されたガイド画像データをフレームメモリ２１３に供給する。フレームメモリ２１３においては、供給されたガイド画像データを所定の記憶位置に記憶する（書き込まれる）。
【００５４】
ここで、ガイド画像データは、上述したように、ＣＰＵ２２１がユーザーに対してチェックすべき領域を変更するごとに、画像制御回路２１４に対してブリッジ回路２２３から出力される。したがって、フレームメモリ２１３は、ガイド画像データが供給されるごとに更新して記憶する。ここで、ＣＰＵ２２１によって生成されるガイド画像データは、例えば、枠画像とテキストデータとから形成されるものであるため、そのデータ容量は小さくなる。したがって、フレームメモリ２１３の記憶容量を小さくすることができて、コストを低減することができる。
【００５５】
画像制御回路２１４は、マイクロコンピュータ２１２の指示に従い、フレームメモリ２１３の所定記憶位置に記憶されたガイド画像データを読み出す。そして、画像制御回路２１４は、ＰｉｎＰ機能により、既に表示部１に表示されているチェックパターン画像に対して、ＣＰＵ２２１が決定した表示位置となるように、ガイド画像データに基づくガイド画像を表示させる。これにより、表示部１は、図２に示すように、ユーザーが階調再現性をチェックすべき領域を枠画像によって報知するとともに、同領域内でチェックすべき内容を文字列によって報知することができる。
【００５６】
このように、チェックパターン画像とガイド画像とが表示部１に表示された状態において、ユーザーは、ガイド画像の枠画像によって指し示される領域内の階調再現性を表示された評価内容に従って評価してチェックする。そして、ユーザーは、階調再現性を評価した結果、領域内の表示状態が良好であれば、例えば、操作部２３を操作して表示状態が良好であることをチェック表示制御部２２のＣＰＵ２２１に入力する。
【００５７】
この操作部２３からの入力に基づき、ＣＰＵ２２１は、決定した領域内における階調再現性が良好であるとユーザーが判断した場合には、次に評価すべき領域を決定し、ガイド画像データを生成し、上述したように、表示部１の決定した領域に対応するガイド画像を表示させる。
【００５８】
一方、ユーザーは、表示された評価内容に従って評価した結果、領域内の階調再現性が不良であれば、操作部２３を操作して不良であることをチェック表示制御部２２のＣＰＵ２２１に入力する。
【００５９】
そして、この場合には、ＣＰＵ２２１は、別途予め設定されたエラー対処メッセージ（例えば、「管理者に連絡してください。」など）を表示部１に表示させる。また、ＣＰＵ２２１は、ユーザーによる評価が不良であったことを表す情報を履歴情報として、例えば、表示装置Ｓ内に保存したり、あるいは、表示装置Ｓがネットワークに接続されている場合にはサーバ内に保存したりする。
【００６０】
このように、ＣＰＵ２２１は、表示状態すなわち階調再現性をチェックすべき領域およびチェック内容を報知し、ユーザーがすべての領域において階調再現性が良好であることをチェックすると、チェック動作を終了する。そして、ＣＰＵ２２１は、表示制御部２１のマイクロコンピュータ２１２に対して、所定の通信路を介して、外部入力インターフェース２１１による外部装置からの外部入力画像データの入力を許可するように指示する。
【００６１】
この指示に応じて、マイクロコンピュータ２１２は、外部入力インターフェース２１１による外部装置からの外部入力画像データの入力を許容し、表示装置Ｓの動作状態を通常動作に移行する。これにより、外部装置から出力された外部入力画像データは、外部入力インターフェース２１１から画像制御回路２１４を介してフレームメモリ２１３に入力される。フレームメモリ２１３は、一時的に記憶した外部入力画像データを所定のリフレッシュレートに応じて、画像制御回路２１４に供給する。画像制御回路２１４においては、供給された外部入力画像データに対して、上述したチェック動作によりユーザーが良好であると評価した階調再現性に基づく補正を加え、表示部１に補正した画像データを供給する。そして、表示部１は、供給された画像データに基づく階調値により、画像を表示する。
【００６２】
以上の説明からも理解できるように、本実施形態によれば、表示装置Ｓの記憶部２２２に予め記憶されているチェックパターン画像データに基づくチェックパターン画像を表示させる際には、画像制御処理部を構成するＣＰＵ２２１がマイクロコンピュータ２１２に指示することによって、外部装置から外部入力画像データの入力を禁止することができる。そして、画像制御回路２１４は、フレームメモリ２１３に書き込まれたチェックパターン画像データによって表されるチェックパターン画像を表示部１に表示させることができる。
【００６３】
このため、ユーザーが表示部１の表示状態（階調再現性）をチェックする場合においては、外部装置（例えば、コンピュータ）を接続していない状態であっても、言い換えれば、外部装置からの入力に依存することなく、表示装置Ｓを起動することによって行うことが可能となる。また、外部装置が接続されている状態であっても、ユーザーは外部装置からの入力を禁止させるための操作を行う必要がない。したがって、ユーザーは、表示装置Ｓの表示状態をチェックするための準備項目を減らすことができて、簡単に表示状態をチェック（評価）することができる。
【００６４】
また、記憶部２２２に記憶されるチェックパターン画像データは、通常時に、例えば、ＺＩＰ形式など周知の方式により圧縮されて記憶されており、必要時に伸張処理により伸張されて表示部１に表示される。これにより、記憶部２２２におけるチェックパターン画像データを記憶しておくための記憶容量を小さくすることができ、表示装置Ｓの製造コストを低減することができる。
【００６５】
また、記憶部２２２に記憶されているチェックパターン画像データを表示部１に表示する際には、ブリッジ回路２２３が予め設定されたフォーマット形式を有するチェックパターン画像データを選択して表示制御部２１に出力し、画像制御回路２１４はこの出力されたチェックパターン画像データに基づいて表示部１に表示させることができる。
【００６６】
これにより、記憶部２２２に種々のフォーマット形式でチェックパターン画像データが予め記憶されている場合であっても、例えば、ビット・マップ形式のチェックパターン画像データを選択することができる。これにより、表示装置Ｓが、例えば、高解像度をサポートする高性能なグラフィックコントローラを備えていなくても、表示部１の表示形態に応じて、適切なチェックパターン画像を表示することができる。したがって、表示装置Ｓの製造コストを低減することができるとともに、ユーザーは適切に表示されたチェックパターン画像に基づいて表示状態をチェック（評価）することができる。
【００６７】
また、外部装置から外部入力を禁止してフレームメモリ２１３にチェックパターン画像データを一回だけ書き込んだ状態においては、フレームメモリ２１３の更新処理を停止させることができる。すなわち、通常、外部装置から外部入力画像データが入力される状況では、マイクロコンピュータ２１２および画像制御回路２１４が所定のリフレッシュレートに応じてフレームメモリ２１３に対する画像データの書き込みおよび読み出しを更新処理する。
【００６８】
これに対して、チェックパターン画像データが一回だけフレームメモリ２１３に書き込まれている場合には、同一の画像を表示部１に表示させるため、書き込まれたチェックパターン画像データを更新処理する必要がない。したがって、この場合には、フレームメモリ２１３の更新処理を停止することができ、その結果、マイクロコンピュータ２１２および画像制御回路２１４の処理能力を低くすることが可能となって表示装置Ｓの製造コストを低減できるとともに、同装置Ｓの構成を簡略化することもできる。
【００６９】
さらに、チェックパターン画像が表示部１に表示されている状況において、このチェックパターン画像に重ねて、ユーザーが表示状態をチェック（評価）すべき領域およびチェック（評価）すべき内容を表すガイド画像をさらに表示することができる。これにより、ユーザーは、専門的な知識を有していなくても、表示部１の表示状態（例えば、階調再現性など）を適切に、かつ、容易に評価することができる。これにより、ユーザーは、表示部１の表示状態を常に良好に維持することができ、常に高精細および高階調の画像を得ることができる。
【００７０】
上記実施形態においては、表示装置Ｓがチェック動作しているときに、ユーザーが表示部１に表示されたチェックパターン画像およびガイド画像に従って目視により表示状態（例えば、階調再現性）を評価するように実施した。この場合、表示装置Ｓが輝度センサを備えている場合には、この輝度センサを用いて表示状態を評価するように実施することも可能である。以下、この変形例を説明する。
【００７１】
この変形例においては、輝度センサがチェック表示制御部２２のＣＰＵ２２１に対して接続される。そして、ＣＰＵ２２１は、上述した実施形態と同様に、記憶部２２２に予め圧縮されて記憶されているチェックパターン画像データを伸張処理し、ブリッジ回路２２３に供給するとともに、プログラムの実行によってガイド画像データをブリッジ回路２２３に供給する。これにより、表示制御部２１のマイクロコンピュータ２１２、フレームメモリ２１３および画像制御回路２１４が互いに協働して、表示部１にチェックパターン画像およびガイド画像が表示される。
【００７２】
ただし、この変形例においては、ガイド画像として、枠画像とともにユーザーが表示部１に表示された枠画像内に輝度センサを合わせるように指示する内容が表示される。そして、ユーザーがこの指示内容に従って枠画像によって仕切られた領域内に輝度センサを合わせることにより、領域内の輝度が輝度センサによって検出されるとともに、同検出された輝度を表す検出輝度値がＣＰＵ２２１に出力される。これにより、ＣＰＵ２２１は、出力された検出輝度値を入力し、同検出値が適切であるか否かを判定する。したがって、この変形例によれば、表示状態（階調再現性）を自動的に評価することができて、ユーザーはより簡便に表示状態のチェックを行うことができる。
【００７３】
本発明の実施にあたっては、上記実施形態に限定されるものではなく、本発明の目的を逸脱しない限りにおいて、種々の変更が可能である。
【００７４】
例えば、上記実施形態においては、制御部２を表示制御部２１とチェック表示制御部２２とから構成して実施した。そして、表示装置Ｓの作動状態がチェック作動であるときに、チェック表示制御部２２のＣＰＵ２２１が表示制御部２１のマイクロコンピュータ２１２に対して各種指示を行うように実施した。しかしながら、この場合、例えば、表示制御部２１のマイクロコンピュータ２１２を省略し、チェック表示制御部２２のＣＰＵ２２１が表示制御部２１とチェック表示制御部２２の作動を統括的に制御するようにしてもよい。これにより、制御部２の構成をより簡略化することができて、表示装置Ｓの製造コストをより低減することができる。
【００７５】
また、上記実施形態においては、チェック表示制御部２２の記憶部２２２に圧縮されて記憶されるチェックパターン画像データが表示部１の解像度に合わせて作成されるように実施した。しかし、より汎用性を持たせるために、種々の解像度を有するチェックパターン画像データを圧縮して記憶部２２２に記憶するように実施することも可能である。
【００７６】
この場合には、チェック表示制御部２２のＣＰＵ２２１が記憶部２２２に記憶されたチェックパターン画像データを伸張処理した後、ブリッジ回路２２３が表示部１の解像度に一致するとともにビット・マップ形式のチェックパターン画像データを選択的に表示制御部２１に対して出力すればよい。また、例えば、表示部１の解像度に一致しないチェックパターン画像データしか存在しない場合には、ブリッジ回路２２３が表示部１の解像度に合わせて、言い換えれば、チェックパターン画像データが表示部１の表示領域の全領域で表示されるように、チェックパターン画像データの解像度あるいは画像フォーマットを変換して表示制御部２１に対して出力すればよい。
【００７７】
これらにより、個々の表示装置Ｓの表示部１における解像度に応じたチェックパターン画像データを用意する必要がない。さらに、ブリッジ回路２２３を、ビット・マップ形式であって表示部１の解像度に一致するチェックパターン画像データを選択的に出力するように、あるいは、チェックパターン画像データを表示部１の解像度に合わせて変換するようにプログラミングすることにより、ＣＰＵ２２１が高い処理能力を有する必要がなく、また、表示装置Ｓがグラフィックコントローラを備えておく必要もない。したがって、これらによっても、表示装置Ｓの製造コストを低減することができるとともに、同装置Ｓの構成を簡略化することもできる。
【図面の簡単な説明】
【００７８】
【図１】本発明の実施形態に係る表示装置の構成を示す概略的なブロック図である。
【図２】表示部に表示されたチェックパターン画像およびガイド画像を説明するための概略的な図である。
【符号の説明】
【００７９】
１…表示部、２…制御部、２１…表示制御部、２１１…外部入力インターフェース、２１２…マイクロコンピュータ、２１３…フレームメモリ、２１４…画像制御回路、２２…チェック表示制御部、２２１…ＣＰＵ、２２２…記憶部、２２３…ブリッジ回路、２３…操作部
【図１】
2009058602.tif 000003
【図２】
2009058602.tif 000004